(57)【要約】  パーコレーティングフィルターデバイスはシートを形成する壁を有するケーシングを含み、アクセサリーは、クイックリリース締め具を具備する関連している締め具手段とカウンター手段とによって、取り外し可能な方法において保持されている。
2013522030.tif 000002
【特許請求の範囲】
【請求項１】
アクセサリー（１０）を受けるためのシート（６）を形成する壁を有するケーシング（２，３）を含み、関連している締め具手段とカウンター手段（１２，１３）とによって取り外し可能な方法において前記シートに前記アクセサリーが保持されるパーコレーティングフィルターデバイスであって、
前記締め具手段と前記カウンター手段とは、クイックリリース締め具（１２，１５）を具備することを特徴とするパーコレーティングフィルターデバイス。
【請求項２】
前記クイックリリース締め具は、プッシュ−プッシュタイプである請求項１に記載のパーコレーティングフィルターデバイス。
【請求項３】
前記壁は、前記デバイスのふた（３）及び／または前記デバイスのハンドル（７）の一部を含む請求項１または請求項２に記載のパーコレーティングフィルターデバイス。
【請求項４】
前記デバイスは、フィルター水差し（１）である請求項１、請求項２、または請求項３に記載のパーコレーティングフィルターデバイス。
【請求項５】
前記シート（６）は、前記フィルターデバイスの内側からシールされている先行する請求項のいずれか１つに記載のパーコレーティングフィルターデバイス。
【請求項６】
前記クイックリリース締め具は、前記アクセサリーに固定される雄エレメント（１２）と、前記シート（６）に取り付けられる雌エレメント（１３）とを具備する先行する請求項のいずれか１つに記載のパーコレーティングフィルターデバイス。
【請求項７】
前記アクセサリーは、フィルターカートリッジの消耗の度合いの電子インジケーターを具備する先行する請求項のいずれか１つに記載のパーコレーティングフィルターデバイス。
【発明の詳細な説明】
【技術分野】
【０００１】
本発明は、取り外し可能なアクセサリーを有するタイプのパーコレーティングフィルターデバイスに関する。
【背景技術】
【０００２】
通常、例えば、フィルター水差し、インフューザーのような、パーコレーティングフィルターデバイスにフィットする一般的なアクセサリーは、フィルターカートリッジの消耗の度合いの電子インジケーターである。このタイプのインジケーターは、大抵、必要とされるならば、電子コンポーネント、ディスプレイ、１つ以上のバッテリー、及びセンサーが取り付けられているプリント回路基板（ＰＣＢ）を収容しているプラスチック素材のケーシングを有している。
【０００３】
これらアクセサリーの構造設計のため、ハウジングに簡単にフィットすることができる及び／またはハウジングから簡単に取り外すことができ、フィルターデバイスに取り付けられるシールされたケーシングを使用することが重要である。フィルター水差しにおいて、このハウジングは、概ね、ふたにおいて及び／または水差しのハンドルにおいて、開口の形を取得している。
【発明の概要】
【０００４】
シーリングの問題は、化学物質がバッテリーから及び／またはアクセサリーのコンポーネントから下方に横たわっているボウルの中の液体に漏れることができず、それを汚すことができないことを確保する必要性から生じている。これら水差しが人の消費量のために主に液体をフィルターするために使用されることを前提とすると、このような汚れのあらゆる可能性は受け入れがたいとみなされていることが明らかである。
【０００５】
問題全体を排除するために、それゆえ、汚れを防ぎ、アクセサリーのハウジングはシールされなければならず、フィルターデバイスの内側に伝わる可能性をなくさなければならない。
【０００６】
例えば、水差しやそのふたのようなフィルターデバイスのコンポーネントは、熱湯と洗剤とともに自動皿洗い機の中でできる限り、頻繁に、繰り返し洗浄を受けることを、心に留めるべきである。それゆえ、アクセサリーは、洗浄前に取り外しを円滑化するために、簡単にハウジングから取り外されなければならず、及び簡単に取り替えられなければならない。一方、モイスチャー、洗剤との接触、及び高洗浄温度は、電子コンポーネント、ディスプレイ、及びバッテリーに様々なダメージを与えるかもしれない。そのうえ、もしアクセサリーが洗浄前に取り外されなかったら、非衛生的な不潔な液体が一定量ハウジングに残ってしまうかもしれない。
【０００７】
従来、アクセサリーのようなケーシングと、フィルターデバイスの壁におけるそのハウジングとは、アクセサリーがハウジングの中にフィットしたさいに、互いに連結できる歯と適切な窪みとの形で締め具手段とカウンター手段とを有している。
【０００８】
しかしながら、これは、フィッティングの便利性及び迅速性と、アクセサリーの取り外し性とを急激に下げてしまうという欠点を有している。アクセサリーのケーシングは、強制的な取り外しのために使用されるかもしれないツール（小さいスクリュードライバー、ブレード等）によってダメージを受けるかもしれない。
【０００９】
タブ及び／またはタブがフィットするハウジングの加工の欠陥による不正確な連結の問題を引き起こすかもしれない“弾性的なタブ”付属品もある。現に、もし、様々なプラスチックパーツのモールディングにおいて寸法変化が調査されると、不運にも、タブは、あまりにも曲がり易くなるまたはあまりにも固くなり、さらに消費者によって使用不適格とされてしまうことは明らかである。
【００１０】
発明の根本的な問題は、それゆえ、前述した従来技術の全ての故障を克服できるような構造的及び機能的設計のパーコレーティングフィルターデバイスを提供することにある。
【００１１】
この問題は、以下のクレームに従って作製されたパーコレーティングフィルターデバイスによって本発明によって解決される。発明の特徴と利点とは、ガイダンスの目的のための好適な実施形態の以下の詳細な説明とイラストと限定されない方法と共に添付した図面に照らし合わせて明らかとなる。
【図面の簡単な説明】
【００１２】
【図１】図１は、本発明に関するフィルターデバイスの側面図である。
【図２】図２は、図１のデバイスの上からの図である。
【図３】図３は、図１のデバイスの２つの関連している詳細の２つの分解図である。
【図４】図４は、図１のデバイスの２つの関連している詳細の２つの分解図である。
【図５】図５は、２つに分離している操作構成において、図４の詳細な２つの側面図である。
【図６】図６は、２つに分離している操作構成において、図４の詳細な２つの側面図である。
【図７】図７は、図４において示されたパーツのコンポーネントの拡大された部分図である。
【発明を実施するための形態】
【００１３】
図面において、符号１は、口がふた３によって取り外し可能に閉じられる水差し２を含むタイプのパーコレーティングフィルターデバイスの全体を示す。水差しは、既知のタイプの取り替え可能なカートリッジフィルターを収容している。本説明において、図示されていないエレメントの情報については、国際公開番号ＷＯ２００９−０１２８３２号において説明及び図示されているフィルター水差しの例を参照にしてもよい。
【００１４】
ふた３において、水差しを満たすための開口４と、小出し口のための揺振可能なカバー５と、アクセサリー１０この場合カートリッジの消耗の度合いを示す電子デバイスのためのブラインドハウジングシート６とが形成されている。加えて、シート６は、水差し２のハンドル７の上部に形成されている。
【００１５】
アクセサリー１０は、様々なタイプにすることができ、様々な機能を有することができ、電子コンポーネント、ディスプレイ、１つ以上のバッテリー、及び、必要ならばセンサーが取り付けられているプリント回路基板（ＰＣＢ）を既知の方法で格納し、シールされたケーシング１１を有している。
【００１６】
発明に関して、アクセサリー１０は、関連しているクイックリリース締め具手段とカウンター手段とによってシート６において取り外し可能に保持されている。好適な技術的な解決において、これらクイックリリース締め具手段とカウンター手段とは、ケーシング１１のベースに固定されている矢じりの形の雄エレメント１２と、シート６のベースに形成されたシールされたカップ１４にフィットする雌エレメント１３とを有する例えば米国特許６９８６５３５（Ｂ２）号明細書において説明されているような“プッシュ−プッシュ”タイプのクイックリリース締め具を有している。シート６とカップ１４とは、後述するモールディングの間にふた３と共に一体に作製されているため、水差しの内側からシールされている。全体的な類似方法において、雄エレメントはシート６に形成されることができ、雌エレメントはデバイスのケーシングに適用できるが、この解決は前記した一方よりも便利性を失うかもしれない。
【００１７】
雄エレメント１２は、好適には、アクセサリー１０のケーシング１１と共に一体に形成されており、雌エレメント１３の保持機構１５に結合する形状を有している。後述するエレメントは、２つのバネ付きリブ１７がハウジング１６から突出し互いに離れている開口位置（図５）と、リブ１７がまとめられてハウジング１６にフィットする閉口位置（図６）との間を保持機構１５がスライド可能にガイドされるハウジング１６を有している。ばね１８は、２つの前述した位置においてこの機構を保持するために、キャッチ機構２２と共に、ハウジングと保持機構１５との間に配設されている。キャッチ機構２２は、機構１５のシート１９に嵌合し、ハウジング１６のカム輪郭２１と相互に作用する歯２０を反対端に抱えている。既知のタイプの相互接続は、例えば、ふた３から取り外されたアクセサリー１０と共に雌エレメントの開口位置から始まり、アクセサリーがシート６に押し込まれ、さらに保持機構を雄エレメントの矢じりを閉めるリブ１７とともに開口から閉口位置にまで移動させ、それゆえシートにロックされる。反対に、アクセサリー１０がシート６の内側に向かって再びもう一度押し込まれると、保持機構は、雄エレメント１２をリリースするために互いに離れるリブ１７とともに閉口から開口位置にまで移動し、アクセサリー１２をリリースする。保持機構のバネと開口とハウジング１６からのリブの突出とのために、アクセサリー１０は、簡単にリリースされないが、しかし実際には、シート６から押し出され、こうして抜き出しが円滑化される。
【００１８】
本発明は、それゆえ、冒頭にて述べた問題を解決し、同時に、ふたにおいてシートからアクセサリーの排出が円滑化されるため、ふたが洗浄されるさいはいつでもアクセサリーは簡単且つすぐに取り外すことができ、そのうえ一方でフィルターデバイスの衛生を改善し、同時に他方で確実に修理不可能なダメージをあたえる自動皿洗い機にアクセサリーが思いがけず入る可能性を少なくさせるという事実を含む多数の利点を提供する。
【図１】
2013522030.tif 000003
【図２】
2013522030.tif 000004
【図３】
2013522030.tif 000005
【図４】
2013522030.tif 000006
【図５】
2013522030.tif 000007
【図６】
2013522030.tif 000008
【図７】
2013522030.tif 000009
【手続補正書】
【提出日】平成24年11月26日(2012.11.26)
【手続補正１】
【補正対象書類名】特許請求の範囲
【補正対象項目名】全文
【補正方法】変更
【補正の内容】
【特許請求の範囲】
【請求項１】
ケーシング（２，３）と、前記ケーシングに取り外し可能となっている取り替え可能なカートリッジフィルターと、アクセサリー（１０）を受けるためのシート（６）を形成するケーシング壁とを含み、関連している締め具手段とカウンター手段（１２，１３）とによって取り外し可能な方法において前記シートに前記アクセサリーが保持されるパーコレーティングフィルターデバイスであって、
前記シートは、前記ケーシングの内部に向かって閉じられており、外側からのみアクセス可能であり、
前記締め具手段と前記カウンター手段とは、クイックリリース締め具（１２，１５）を具備することを特徴とするパーコレーティングフィルターデバイス。
【請求項２】
前記クイックリリース締め具は、プッシュ−プッシュファスナーである請求項１に記載のパーコレーティングフィルターデバイス。
【請求項３】
前記壁は、前記デバイスのふた（３）及び／または前記デバイスのハンドル（７）の一部を含む請求項１または請求項２に記載のパーコレーティングフィルターデバイス。
【請求項４】
前記デバイスは、フィルター水差し（１）である請求項１、請求項２、または請求項３に記載のパーコレーティングフィルターデバイス。
【請求項５】
前記シート（６）は、前記フィルターデバイスの内側からシールされている先行する請求項のいずれか１つに記載のパーコレーティングフィルターデバイス。
【請求項６】
前記クイックリリース締め具は、前記アクセサリーに固定される雄エレメント（１２）と、前記シート（６）に取り付けられる雌エレメント（１３）とを具備する先行する請求項のいずれか１つに記載のパーコレーティングフィルターデバイス。
【請求項７】
前記アクセサリーは、フィルターカートリッジの消耗の度合いの電子インジケーターを具備する先行する請求項のいずれか１つに記載のパーコレーティングフィルターデバイス。
【手続補正２】
【補正対象書類名】明細書
【補正対象項目名】００１８
【補正方法】変更
【補正の内容】
【００１８】
本発明は、それゆえ、冒頭にて述べた問題を解決し、同時に、ふたにおいてシートからアクセサリーの排出が円滑化されるため、ふたが洗浄されるさいはいつでもアクセサリーは簡単且つすぐに取り外すことができ、そのうえ一方でフィルターデバイスの衛生を改善し、同時に他方で確実に修理不可能なダメージをあたえる自動皿洗い機にアクセサリーが思いがけず入る可能性を少なくさせるという事実を含む多数の利点を提供する。
以下に、本願出願の当初の特許請求の範囲に記載された発明を付記する。
［１］
アクセサリー（１０）を受けるためのシート（６）を形成する壁を有するケーシング（２，３）を含み、関連している締め具手段とカウンター手段（１２，１３）とによって取り外し可能な方法において前記シートに前記アクセサリーが保持されるパーコレーティングフィルターデバイスであって、
前記締め具手段と前記カウンター手段とは、クイックリリース締め具（１２，１５）を具備することを特徴とするパーコレーティングフィルターデバイス。
［２］
前記クイックリリース締め具は、プッシュ−プッシュタイプである［１］に記載のパーコレーティングフィルターデバイス。
［３］
前記壁は、前記デバイスのふた（３）及び／または前記デバイスのハンドル（７）の一部を含む［１］または［２］に記載のパーコレーティングフィルターデバイス。
［４］
前記デバイスは、フィルター水差し（１）である［１］、［２］、または［３］に記載のパーコレーティングフィルターデバイス。
［５］
前記シート（６）は、前記フィルターデバイスの内側からシールされている［１］乃至［４］のいずれか１つに記載のパーコレーティングフィルターデバイス。
［６］
前記クイックリリース締め具は、前記アクセサリーに固定される雄エレメント（１２）と、前記シート（６）に取り付けられる雌エレメント（１３）とを具備する［１］乃至［５］のいずれか１つに記載のパーコレーティングフィルターデバイス。
［７］
前記アクセサリーは、フィルターカートリッジの消耗の度合いの電子インジケーターを具備する［１］乃至［６］のいずれか１つに記載のパーコレーティングフィルターデバイス。
【国際調査報告】
2013522030.tif 000010
2013522030.tif 000011
2013522030.tif 000012